(57)【要約】【課題】ユーザーの個人個人の要望に応じてきめ細かくかつより忠実に対応することができる下着を提供する。【解決手段】下着１は、下着本体２と、液吸収体３からなる。下着本体２は、起毛５ａを有するシート状の接合用布５を一体的に有しており、この接合用布５は下着本体２の上縁２ｄ,２ｅから脚貫通用孔２ａ,２ｂの周線２ａ1,２ｂ1まで延設されている。接合用布５の起毛５ａは面ファスナーの一側接合部を構成しており、接合用布５がシート状に広く形成されているので、この一側接合部も広く構成される。また、液吸収体３には面ファスナーの他側接合部が設けられており、この他側接合部が一側接合部に接合することで、液吸収体３が下着本体２に着脱自在に取り付けられる。このとき、一側接合部が広く構成されることで、液吸収体３の下着本体２への取付位置が広範囲に設定することができる。【選択図】    図１
2008093321.tif 000002
【特許請求の範囲】
【請求項１】
左右二股に分岐する分岐部に形成された左右一対の脚貫通用孔を有しかつ柔軟性を有する下着本体と、柔軟性を有しかつ液を吸収するシート状の液吸収体と、シート状の液吸収体を前記下着本体に着脱自在に取り付ける面ファスナーとを少なくとも備え、前記面ファスナーが前記下着本体に設けられた一側接合部と前記液吸収体に設けられて一側接合部に接離自在に接合可能な他側接合部とからなる下着において、
前記一側接合部が前記下着本体の上縁または上縁近傍位置から、前記分岐部における前記左右一対の脚貫通用孔の周縁または周縁近傍位置までシート状に延設されていることを特徴とする下着。
【請求項２】
前記一側接合部が柔軟性を有するシート状の接合用布からなり、この接合用布が前記下着本体に一体に縫着されていることを特徴とする請求項１記載の下着。
【請求項３】
前記一側接合部および前記他側接合部はそれぞれ多数の起毛を有する起毛状素材から形成されており、前記他側接合部の起毛が前記一側接合部の起毛に接触することで前記他側接合部が前記一側接合部に接離自在に接合することを特徴とする請求項１または２記載の下着。
【請求項４】
前記液吸収体は前記下着本体に、前記下着本体に対向する面の全面が前記下着本体に接触するようにして取り付けられることを特徴とする請求項１ないし３のいずれか１記載の下着。
【請求項５】
前記液吸収体は前記下着本体に、前記下着本体に対向する面の一部が前記下着本体から離間して吊り下げ状に取り付けられていることを特徴とする請求項１ないし３のいずれか１記載の下着。
【請求項６】
前記液吸収体に設けられる前記他側接合部は細長いテープ状に形成されていることを特徴とする請求項１ないし５のいずれか１記載の下着。
【請求項７】
前記液吸収体に、前記他側接合部と接離自在に接合可能な更にもう１つの一側接合部が前記他側接合部に対して所定間隔を置き隣接して設けられていることを特徴とする請求項１ないし６のいずれか１記載の下着。
【発明の詳細な説明】
【技術分野】
【０００１】
本発明は、柔軟性を有しかつ尿等の液を吸収可能に形成されるとともに所定の位置に着脱自在に取り付けられたシート状の液吸収体を備える下着の技術分野に関する。
【背景技術】
【０００２】
従来、生理用や失禁用の下着においては、柔軟性を有しかつ失禁尿等の液を吸収可能に形成されたシート状の液吸収体を交換可能に備える下着が広く知られている。このような下着として、使い捨てのシート状の液吸収体を機械的接合手段により下着本体に着脱自在に取り付けて形成された下着が提案されている（例えば、特許文献１参照）。また、同じく特許文献１には、液を吸収して溜めた液吸収体を下着本体から取り外して洗濯することにより液を液吸収体から除去しかつ乾燥した後、再び下着本体に取り付けて再び利用することも開示されている。
【０００３】
このように、液吸収体を下着本体に対して簡単に交換可能にすることで、所定量以上の液を吸収して溜めた液吸収体に代えて、新しい液吸収体や洗濯して液が除去されてきれいになった液吸収体を下着本体に取り付けることで、装着者（ユーザー）の下着の履き心地が長期にわたって快適にすることができる。
【特許文献１】特開２００１−３２９４０１号公報。
【発明の開示】
【発明が解決しようとする課題】
【０００４】
ところで、この特許文献１には、液吸収体を機械的接合手段により下着本体に着脱自在に単に取り付けることは開示されているだけである。しかしながら、下着のユーザーの要望は個人個人種々異なる場合多い。例えば、液吸収体を下着本体に取り付ける所望の位置がユーザーによって異なったり、液吸収体のサイズや形状あるいは下着本体のサイズや形状がユーザーによって異なったりすることが多い。そこで、このようなユーザーの多種多様の異なる要望毎に、下着本体および液吸収体をそれぞれ作製しかつ互いに組み合わせることで下着を構成することが考えられる。しかし、このように下着本体および液吸収体をそれぞれ異なる要望毎に作製したのでは、効率的でないばかりでなく、コストが高くなるという問題がある。
【０００５】
また、一般に液吸収体は、液を吸収拡散する吸水層、吸水層からの液を溜める保水層、および保水層に溜まった液が下着本体の方へ漏出するのを防止する防水層が積層された多層構造に形成されている。このような多層構造の液吸収体を機械的接合手段で下着本体に取り付けるためには、液吸収体に機械的接合手段の一側接合部材を設ける必要がある。その場合、液吸収体の一側接合部材は、下着本体に設けた機械的接合手段の他側接合部材に接合するために液吸収体の防水層に設ける必要がある。しかし、機械的接合手段の一側接合部材を防水層に設けたのでは、柔軟性を有する液吸収体を洗濯した際に液吸収体が撓むことで一側接合部材が防水層に繰り返し当接するので、一側接合部材により防水層が傷付けられるおそれがある。このように防水層が傷付けられると、防水層の防水機能が損なわれてしまう場合が考えられる。
【０００６】
本発明は、このような事情に鑑みてなされたものであって、その目的は、ユーザーの個人個人の要望に応じてきめ細かくかつより忠実に対応することができる下着を提供することである。
また、本発明の他の目的は、接合部材が設けられた液吸収体を洗濯しても、接合部材による液吸収体の損傷を防止することのできる下着を提供することである。
【課題を解決するための手段】
【０００７】
前述の課題を解決するために、請求項１の発明は、左右二股に分岐する分岐部に形成された左右一対の脚貫通用孔を有しかつ柔軟性を有する下着本体と、柔軟性を有しかつ液を吸収するシート状の液吸収体と、シート状の液吸収体を前記下着本体に着脱自在に取り付ける面ファスナーとを少なくとも備え、前記面ファスナーが前記下着本体に設けられた一側接合部と前記液吸収体に設けられて一側接合部に接離自在に接合可能な他側接合部とからなる下着において、前記一側接合部が前記下着本体の上縁または上縁近傍位置から、前記分岐部における前記左右一対の脚貫通用孔の周縁または周縁近傍位置までシート状に延設されていることを特徴としている。
【０００８】
また、請求項２の発明は、前記一側接合部が柔軟性を有するシート状の接合用布からなり、この接合用布が前記下着本体に一体に縫着されていることを特徴としている。
更に、請求項３の発明は、前記一側接合部および前記他側接合部はそれぞれ多数の起毛を有する起毛状素材から形成されており、前記他側接合部の起毛が前記一側接合部の起毛に接触することで前記他側接合部が前記一側接合部に接離自在に接合することを特徴としている。
【０００９】
更に、請求項４の発明は、前記液吸収体は前記下着本体に、前記下着本体に対向する面の全面が前記下着本体に接触するようにして取り付けられることを特徴としている。
更に、請求項５の発明は、前記液吸収体は前記下着本体に、前記下着本体に対向する面の一部が前記下着本体から離間して吊り下げ状に取り付けられていることを特徴としている。
【００１０】
更に、請求項６の発明は、前記液吸収体に設けられる前記他側接合部は細長いテープ状に形成されていることを特徴としている。
更に、請求項７の発明は、前記液吸収体に、前記他側接合部と接離自在に接合可能な更にもう１つの一側接合部が前記他側接合部に対して所定間隔を置き隣接して設けられていることを特徴としている。
【発明の効果】
【００１１】
このように構成された本発明の下着によれば、下着本体に設けられた一側接合部がシート状に延設されているので、一側接合部を広範囲に設定することができる。したがって、液吸収体を所望の位置に取り付けることができ、液吸収体の取付位置の自由度が高くなる。これにより、液吸収体を下着のユーザーが要望する取付位置に簡単に取り付けあるいは交換することができる。また、液吸収体の取付位置の自由度が高くなることから、液吸収体のサイズおよび形状を自由に設定することができる。これにより、ユーザーは要望するサイズおよび形状の液吸収体を用いることができる。
【００１２】
このようにユーザーの個人個人の要望に応じてきめ細かくかつより忠実に対応することができるので、下着の履き心地が良好になり、ユーザーは長期的に快適な下着の装着感を得ることができる。
【００１３】
特に、請求項７の発明によれば、液吸収体に、更にもう１つの一側接合部が他側接合部に隣接して設けられているので、一側接合部と他側接合部との間の液吸収体の部分を折り曲げて、これらの一側接合部と他側接合部とを互いに接合することで、一側接合部と他側接合部とを露出することが防止できる。したがって、液吸収体の洗濯時に、一側接合部と他側接合部とを互いに接合した状態で洗濯することにより、一側接合部および他側接合部が液吸収体に直接接触することはなく、これらの一側接合部および他側接合部による液吸収体の損傷を防止することができる。これにより、液吸収体の機能が損なわれるのを防止でき、液吸収体の耐久性が向上する。
【００１４】
しかも、液吸収体の洗濯時に、装着者から排出される液のほとんどが溜まる液吸収体の部分が曲げて重ねられないので、この部分に溜まっている液を効果的に除去することができ、液吸収体の洗濯効率を向上することができる。
このように、液吸収体の耐久性が向上することで液吸収体を洗濯しても液吸収体の機能を十分に確保することができるとともに液を効果的に除去できるので、液吸収体を比較的長期間にわたって再利用することが可能となる。
【発明を実施するための最良の形態】
【００１５】
以下、図面を用いて本発明を実施するための最良の形態について説明する。
図１は本発明に係る下着の実施の形態の一例を模式的にかつ部分的に示し、（ａ）は全体斜視図、（ｂ）は（ａ）におけるIB−IB線に沿う断面図、図２は図１に示す下着本体の展開図、図３は図１に示す下着に用いられる液吸収体を示し、（ａ）は平面図、（ｂ）は（ａ）におけるIIIB−IIIB線に沿う断面図、（ｃ）は（ｂ）におけるIIIC部の拡大図、（ｄ）は液吸収体の変形例を示す、（ｂ）と同様の断面図である。
【００１６】
図１（ａ）および（ｂ）に示すように、この例の下着１はブリーフ形のパンツであり、左右の脚がそれぞれ貫通可能な左右一対の脚貫通用孔２ａ,２ｂを有する下着本体２と、この下着本体２に着脱可能に取り付けられる液吸収体３とからなっている。その場合、左右一対の脚貫通用孔２ａ,２ｂは左右二股に分岐する分岐部２ｃ（下着１の装着者の股間部に対応する部位）に形成されている。図１（ａ）、（ｂ）および図２に示すように、下着本体２は、本体布４に、同じく柔軟性を有するシート状の接合用布５が一体に縫着されて構成されている。
【００１７】
本体布４は、従来から下着に使用されている柔軟性を有する公知の布を使用することができる。そして、図２に示すように本体布４は、その左右両側縁に左右一対の脚貫通用孔２ａ,２ｂを形成するための左右の凹部４ａ,４ｂを有し、全体として図２に示す展開図において上下方向中心線αに関して線対称に形成されている。
【００１８】
また図１（ｂ）に示すように、接合用布５は一側の全面に起毛５ａを有する幅広いシート状の起毛状素材から形成されており、この起毛状素材としては、従来から起毛状素材に使用されている柔らかい布を使用することができる。その場合、起毛５ａは下着１の装着者の肌が直接接触しても、肌触りが良好なように柔らかく形成されている。また、起毛５ａを有する接合用布５は、後述するように接離自在に接合する接合部材である面ファスナーの一側接合部を構成している。
【００１９】
そして、接合用布５は起毛５ａ側の面が表面となるようにして本体布４の所定位置に逢着されている。その場合、図２に示すように接合用布５は、本体布４の上縁４ｃ,４ｄ（つまり、下着本体２の上縁２ｄ,２ｅ）から左右の凹部４ａ,４ｂの縁４ａ1,４ｂ1（つまり、下着本体２の脚貫通用孔２ａ,２ｂの周線２ａ1,２ｂ1の一部までシート状に延設されているとともに、下着本体２の前側から後側にかけて連続するようにして本体布４に一体に設けられている。しかも、接合用布５は本体布４に、図２に示す展開図において上下方向中心線αに関して線対称に配設されているとともに、下着本体２の上縁２ｄ,２ｅにおける接合用布５の幅が下着本体２の凹部４ａ,４ｂの縁４ａ1,４ｂ1における接合用布５の幅より小さく設定されている。このようにして、接合用布５は、下着１を装着した装着者の前部、股間部、および後部に対して、いわゆる褌のようにかつ左右対称に対向するようになる。
【００２０】
図３（ａ）および（ｂ）に示すように、液吸収体３は、いずれも柔軟性を有する第１ないし第４シート状体６,７,８,９がこれらの順に積層された４層の多層構造に構成されている。その場合、各第１ないし第４シート状体６,７,８,９は、いずれも、図３（ａ）においてほぼ中央位置に、装着者の股間部に対応する湾曲形状部１０が形成された同じ形状にかつ同サイズに形成されている。
【００２１】
そして、図３（ａ）において、各第１ないし第４シート状体６,７,８,９は、それらの湾曲形状部１０より右側部分が装着者の前部に対応するとともに、それらの湾曲形状部１０より左側部分が装着者の後部に対応する。その場合、湾曲形状部１０の幅（図３（ａ）において上下方向の長さ）が最も小さく、次いで右側部分の幅（同）が大きく、次いでに左側部分の幅（同）が最も大きく設定されている。
【００２２】
第１シート状体６は吸水拡散層であり、装着者から出た失禁尿や汗等の液を吸収拡散する機能を有している。この第１シート状体６は失禁尿や汗等の液を吸収拡散可能な従来公知の柔らかい布から形成することができる。
【００２３】
また、第２シート状体７は保水層であり、第１シート状体６によって吸水拡散された液をしみ込ませた状態で溜める機能を有している。この第２シート状体７は、蓄水機能を有する従来公知の柔らかい布から形成することができる。
【００２４】
更に、第３シート状体８は防水層であり、第１シート状体６で吸水拡散されかつ第２シート状体７に溜められた液が、防水層の第２シート状体７と反対側に漏出するのを防止する機能を有している。この第３シート状体８は、防水機能を有する従来公知の柔らかい布から形成することができる。
【００２５】
更に、第４シート状体９は、図３（ａ）において左右両端部にそれぞれ面ファスナーの他側接合部１１,１２がこれらの左右両端部に沿って縫着β（図３（ｃ）の図示）により取り付けられた当て布であり、これらの面ファスナーの他側接合部１１,１２を支持するための機能を有している。その場合、他側接合部１１,１２は、それぞれ起毛１１ａ,１２ａを有する細長いテープ状でかつまったく同じサイズの起毛状素材からなり、それらの起毛１１ａ,１２ａ側が表面に露出するようにして当て布に縫着される。このように当て布を用いる理由は、他側接合部１１,１２を第３シート状体８の直接防水層に直接縫着させると、その縫い目から液が漏出するおそれが考えられるので、この縫い目からの液の漏出を防止するためである。この第４シート状体９は、防水機能を有する従来公知の柔らかい布から形成することができる。また、両他側接合部１１,１２は部品共通化されて、コスト低減が図られている。もちろん、両他側接合部１１,１２は互いに異なるように形成することもできる。
【００２６】
図３（ｂ）に示すように、各第１ないし第４シート状体６,７,８,９は、それらの全周縁が一致するようにして積層された状態で、撥水性テープ１３が第１ないし第４シート状体６,７,８,９の全周にわたって当てがわれる。そして、図３（ｃ）に示すようにその撥水性テープ１３の長手方向に沿う側縁部１３ａ,１３ｂがコ字状に折り曲げられて第１シート状体６の表面および第４シート状体９の表面に接触させられる。この状態で、両側縁部１３ａ,１３ｂ、および各第１ないし第４シート状体６,７,８,９の周縁部が縫着γにより一体的に接合される。撥水性テープ１３は、従来公知の柔らかい防水性を有し肌触りの良好な材料から形成することができる。この撥水性テープ１３により、第１および第２シート状体６,７に吸水拡散されかつ溜められた液が各第１ないし第４シート状体６,７,８,９の周縁部から漏出するのが防止される。こうして、失禁尿や汗等の所定量の液が吸収されかつ溜められる液吸収体３が形成される。このように、液吸収体３は、装着者から排出される失禁尿や汗等の液を吸収拡散しかつ溜めるとともに、溜まった液を下着本体２に漏出させない機能を有している。
【００２７】
このように構成されたこの例の下着１においては、図１（ａ）および（ｂ）に示すように液吸収体３が下着本体２の接合用布５における装着者の所望の位置（例えば、図４に実線で示す液吸収体３の位置δ）に取り付けられる。その場合、液吸収体３は、その第４シート状体９が本体布４に直接対向しかつ接触するようにして他側接合部１１,１２がそれぞれ接合用布５に接合される。このとき、接合用布５の起毛５ａと他側接合部１１,１２の起毛１１ａ,１２ａとによる、例えばマジックテープ（登録商標）と同様の相互作用で、他側接合部１１,１２が接合用布５に接離自在に接合される。こうして、液吸収体３が下着本体２に着脱自在に取り付けられて、この例の下着１が完成される。このように液吸収体３が下着本体２に取り付けられた状態では、図１（ｂ）に示すように下着本体２に対向する液吸収体３の面（つまり、第４シート状体９の下着本体２への対向面）の全面が下着本体２に接触するようにして支持される。そして、接合用布５の起毛５ａからなる一側接合部と他側接合部１１,１２とにより、本発明の接離自在な面ファスナーが構成されている。
【００２８】
このような面ファスナーとしては、マジックテープ（登録商標）等の機械的な面ファスナー、あるいは接着ファスナー等の化学的な面ファスナーを用いることができる。
【００２９】
そして、この例の下着１が装着者に装着される。このとき、液吸収体３の湾曲形状部１０が装着者の股間部に位置されかつ湾曲形状部１０の側縁が装着者のそけい部あるいはその近傍にフィットされる。液吸収体３により、装着者の失禁尿や汗等の液が液吸収体３に吸収されかつ溜められる。このとき、第３シート状体８の防水層により第２シート状体７に溜められた液が第４シート状体９の当て布側に漏出しないとともに、撥水性テープ１３により第１および第２シート状体６,７に吸水拡散されかつ溜められた液が各第１ないし第４シート状体６,７,８,９の周縁部から漏出しないので、下着１の装着者は不快感を抱くことはない。また、液吸収体３に覆われずに露出した接合用布５の露出部５ｂに装着者の肌が直接触れるようになるが、接合用布５が肌触りの良好な布によって形成されているので、下着１の装着者は、肌が接合用布５の露出部５ｂに直接触れることによる不快感も抱くことはない。
【００３０】
装着者の失禁尿や汗等の所定量の液が液吸収体３に吸収されかつ溜められると、下着１が装着者から脱がされる。更に、他側接合部１１,１２が手によって剥がされることで液吸収体３が下着本体２の接合用布５から取り外される。そして、前述と同様に新しい液吸収体３が下着本体２の接合用布５の所定位置δに取り付けられ、その後、下着１が再び装着者に装着され、装着者の履き心地が快適になる。
また、所定量の液が吸収されかつ溜められた液吸収体３は洗濯されて、吸収された液が除去された後乾燥されて、再び使用可能にされる。
【００３１】
ところで、下着１の装着者には、失禁量の多いや少ない人、下着１を装着したときに液吸収体３の位置が所望の位置となるように強く希望する人など、種々の装着者がいる。このため、１種類の液吸収体３のみでしかも下着本体２への取付個所が１個所のみでは、これらの種々の装着者に対応することができない。その場合、種々の装着者に対応して液吸収体３を作製したり、種々の装着者に対応して取付位置の異なる下着本体２を作製したりしたのでは効率が悪く、コスト高になってしまう。
【００３２】
そこで、この例の下着１では、種々の装着者のうちできるだけ多くの装着者に対して下着本体２が共通化され、液吸収体３のみが種々の装着者に対応して作製される。すなわち、図２および図４に示すようにこの例の下着１の接合用布５が、本体布４の上縁４ｃ,４ｄ（つまり、下着本体２の上縁２ｄ,２ｅ）から左右の凹部４ａ,４ｂの縁４ａ1,４ｂ1の一部まで延設され、かつ下着本体２の前側から後側にかけて連続するようにして本体布４に一体に設けられ、しかも、前述のように左右線対称に配設されているので、接合用布５は比較的広い面積のシート状となる。これにより、接合用布５における液吸収体３の取付個所が広範囲に設定されて、接合用布５における液吸収体３の取付自由度が高くなる。こうして、多くの装着者に対して共通化される下着本体２が構成される。そして、液吸収体３の取付自由度が高くなることから、図３に示す液吸収体３の前述の実線位置δとは異なる細い二点鎖線で示す位置ε等に液吸収体３が取付可能である。
【００３３】
一方、この例の下着１の液吸収体３は、前述の図３に示す液吸収体３に加えて、例えば図４に細い点線で示すような図３に示す液吸収体３より長さ（図４で上下方向の長さ）が短くかつ幅（図４で左右方向の長さ）が大きい液吸収体３′が作製される。もちろん、液吸収体３は図４に細い点線で示す液吸収体３′に限定されることはなく、種々のサイズおよび種々の外周形状の液吸収体が作製され、共通の下着本体２の接合用布５に取付可能である。
このように、この例の下着１では、共通の下着本体２に対して、液吸収体３がその取付位置がかなり自由に設定できるとともに、種々のサイズおよび種々の外周形状の液吸収体３′が取り付けできる。
【００３４】
なお、本発明では、当て布である第４シート状体９は必ずしも必要ではなく、例えば図３（ｄ）に示すように第４シート状体９を省略して液吸収体３を前述の例と同じ第１ないし第３シート状体６,７,８からなる３層構造に形成することもできる。その場合には、第３シート状体８が防水層であることから、他側接合部１１,１２は第３シート状体８の縫着することができないので、第３シート状体８の表面の対応位置に、例えばのり等の接着剤により接着される。この３層構造の液吸収体３の他の構成は前述の図３（ａ）ないし（ｃ）に示す例と同じである。
【００３５】
更に、前述の例では共通の下着本体２の接合用布５に、種々のサイズおよび種々の外周形状の液吸収体が取付可能であるとしているが、逆に、共通化された液吸収体３が種々のサイズおよび種々の外周形状の接合用布５に、あるいは種々のサイズおよび種々の外周形状の下着本体２に取付可能にすることもできる。
【００３６】
更に、前述の例のように下着本体２および液吸収体３のいずれか１一方を共通化することに限らず、種々のサイズおよび種々の外周形状の液吸収体３と、種々のサイズおよび種々の外周形状の接合用布５あるいは種々のサイズおよび種々の外周形状の下着本体２とを組み合わせて本発明の下着１を構成することもできる。このようにすれば、下着１をユーザーの個人個人の要望に応じてきめ細かくかつより忠実に対応することができる。
【００３７】
種々のサイズおよび種々の外周形状の接合用布５としては、例えば、図５（ａ）に示すように本体布４の上縁４ｃ,４ｄから凹部４ａ,４ｂの縁４ａ1,４ｂ1の近傍位置４ａ2,４ｂ2（つまり、下着本体２の脚貫通用孔２ａ,２ｂの周線２ａ1,２ｂ1の近傍位置）まで延設させることもできる。また接合用布５は、図５（ｂ）に示すように本体布４の上縁４ｃ,４ｄの近傍位置４ｃ1,４ｄ1（つまり、下着本体２の上縁２ｄ,２ｅの近傍位置）まで延設させることもできるし、更に、同図に示すように接合用布５を前部用別体布５ｃと後部用別体布５ｄとの２つの別体布に形成することもできる。その場合、前部用別体布５ｃは下着本体２の前側部に対応する本体布４の部位のに取り付けられるとともに、後部用別体布５ｄは下着本体２の後側部に対応する本体布４の部位に取り付けられる。そして、２つの別体布５ｃ,５ｄとも、下着本体２の上縁２ｄ,２ｅ近傍における接合用布５の幅（図５（ａ）において左右方向の長さ）が下着本体２の凹部４ａ,４ｂの縁４ａ1,４ｂ1近傍における接合用布５の幅より小さく設定されている。もちろん、接合用布５はこれらの図５（ａ）およ（ｂ）に示すものに限定されなく、種々の変形例が可能である。
【００３８】
更に前述の各例では、いずれも、下着本体２の上縁２ｄ,２ｅあるいはその近傍における接合用布５の幅が下着本体２の凹部４ａ,４ｂあるいはそれらの縁４ａ1,４ｂ1近傍における接合用布５の幅より小さく設定されているが、図６（ａ）に示すように、接合用布５が下着本体２の凹部４ａ,４ｂの縁４ａ1,４ｂ1に当接する位置間の接合用布５の幅のみを凹部４ａ,４ｂの形状に倣って小さく設定し、接合用布５の他の部分の幅を一定に設定することもできる。更に、図６（ｂ）に示すように、接合用布５が下着本体２の凹部４ａ,４ｂの縁４ａ1,４ｂ1近傍に位置させることで、接合用布５のの幅を全体にわたって一定に設定することもできる。
【００３９】
また、種々のサイズおよび種々の外周形状の下着本体２としては、例えば、図７に示すようにトランクス形のパンツの下着本体２がある。この下着本体２では、前述の図５（ｂ）に示す例と同様に接合用布５が前部用別体布５ｃと後部用別体布５ｄとの２つの別体布に形成されており、これらの前部用別体布５ｃおよび後部用別体布５ｄは、それぞれ本体布４の所定位置（つまり、下着本体２の前側部および後側部）に取り付けられている。その場合、前部用別体布５ｃおよび後部用別体布５ｄは、いずれも下着本体２の上縁２ｆの近傍位置から左右二股に分岐する分岐部２ｃ（下着１の装着者の股間部に対応する部位）における脚貫通用孔２ａ,２ｂの周線２ａ1,２ｂ1の近傍位置まで延設されている。なお、このトランクス形のパンツの場合でも、接合用布５は下着本体２の前側部から後側部にかけて１枚の接合用布で構成することもできるし、また、接合用布５および液吸収体３は種々のサイズおよび種々の外周形状に形成することができる。
【００４０】
更に、本発明の下着１は、図１に示すブリーフ形のパンツおよび図７に示すトランクス形のパンツに限らず、少なくとも装着者の股間にあてがわれ、装着者から排出される失禁尿や汗等の液を吸収するために用いられるものであれば、どのようなものにも適用することができる。
【００４１】
このように前述の各例の下着１によれば、下着本体２に設けられた、起毛５ａを有する接合用布５がシート状に延設されているので、接合用布５の起毛面５ａを広くすることができ、面ファスナーの一側接合部を広範囲に設定することができる。したがって、液吸収体３を所望の位置に取り付けることができ、液吸収体３の取付位置の自由度が高くなる。これにより、液吸収体３を下着１のユーザーが要望する取付位置に簡単に取り付けあるいは交換することができる。また、液吸収体３の取付位置の自由度が高くなることから、液吸収体３のサイズおよび形状を自由に設定することができる。これにより、ユーザーは要望するサイズおよび形状の液吸収体３を用いることができる。液吸収体３として、例えば抗菌、防臭、消臭等の作用を行う素材で液吸収体３を形成することもできるし、夏場等の蒸し暑い時期に、下着１の装着者の体が蒸れないように通気性防水素材を使用することもできる。更に、液吸収体３に磁石や遠赤外線等の装着者の体に良好に作用する素材を用いることで、装着者の体の機能回復や冷え防止等を効果的に図ることができる。
以上のことから、種々のサイズおよび形状の下着本体２と種々のサイズおよび形状の液吸収体３とをユーザの要望に応じてより的確に組みあわせることができるようになる。
【００４２】
このようにユーザーの個人個人の要望に応じてきめ細かくかつより忠実に対応することができるので、下着１の履き心地が良好になり、ユーザーは男女にかかわらず、長期的に快適な下着１の装着感を得ることができる。
【００４３】
図８は本発明に係る下着に用いられる液吸収体の他の例を示し、（ａ）は図３（ａ）と同様の平面図、（ｂ）は（ａ）におけるVIIIB−VIIIB線に沿う断面図、（ｃ）は使用状態を説明する図である。
図８（ａ）および（ｂ）に示すように、この例の液吸収体３は、前述の図３（ａ）および（ｄ）に示す例の第１ないし第３シート状体６,７,８からなる３層構造の液吸収体３に、更に面ファスナーの２つの一側接合部１４,１５が、それぞれ、防水層である第３シート状体８に接着されている。その場合、これらの一側接合部１４,１５はいずれも他側接合部１１,１２の起毛状素材とまったく同じであり、それぞれ起毛１４ａ,１５ａを有する細長いテープ状の起毛状素材から構成されている。、一方の一側接合部１４は他側接合部１１と所定間隔を置きかつ平行に隣接して配置されているとともに、他方の一側接合部１５は他側接合部１２と所定間隔を置きかつ平行に隣接して配置されている。
【００４４】
そして、図８（ｃ）に示すように、液吸収体３の左右両端部が曲げられて、他側接合部１１が一方の一側接合部１４に接離自在に接合されるとともに他側接合部１２が他方の一側接合部１５に接離自在に接合されるようになっている。すなわち、他側接合部１１と一側接合部１４とにより、また、他側接合部１２と一側接合部１５とによりそれぞれ接離自在な面ファスナーが構成されている。このように、液吸収体３が下着本体２に取り付けられない状態で液吸収体３の左右両端部が曲げられることで、他側接合部１１,１２が露出しないようになっている。
【００４５】
この例の液吸収体３によれば、液吸収体３の左右両端部を曲げて、他側接合部１１,１２をそれぞれ一側接合部１４,１５に接合して他側接合部１１,１２を露出させないようにすることができるので、液吸収体３を洗濯する際、他側接合部１１,１２が防水層である第３シート状体８に接触することで、第３シート状体８が損傷するのを防止できる。これにより、液吸収体３の耐久性が向上する。
【００４６】
しかも、装着者の股間部に対応する液吸収体３の湾曲形状部１０を含む領域Ａにおける第１および第２シート状体６,７に液がほとんど溜まるようになるが、この領域Ａは曲げて重ねられないので、液吸収体３の洗濯により、領域Ａに溜まっている液を効果的に除去することができ、液吸収体３の洗濯効率を向上することができる。
このように、液吸収体３の耐久性が向上することで液吸収体３を洗濯しても液吸収体３の機能を十分に確保することができるとともに液を効果的に除去できるので、液吸収体３を比較的長期間にわたって再利用することが可能となる。
この例における液吸収体３の他の構成および他の作用効果は、前述の例の液吸収体３のそれらと同じである。
【００４７】
なお、前述の図３（ａ）および（ｃ）に示す例の液吸収体３において、液吸収体３を左右方向に２つに折り曲げ、かつ一方の他側接合部１１を他方の他側接合部１２に接離自在に接合させることで、両他側接合部１１,１２を露出させない状態で洗濯することが可能である。これによっても、洗濯時に他側接合部１１,１２が第３シート状体８を傷つけることが防止できるとともに、領域Ａにおける第１および第２シート状体６,７に溜まっている液を除去することができる。しかし、この場合には、ほとんどの液が第１および第２シート状体６,７に溜まる領域Ａが２つに折り曲げられて重ねられるので、液吸収体３の洗濯により、領域Ａにおける第１および第２シート状体６,７に溜まっている液を十分にかつより確実に除去することができず、液吸収体３の洗濯効率をそれほど向上することができない。したがって、図８（ａ）ないし（ｃ）に示すように、更に面ファスナーの一側接合部１４,１５を設けることが望ましい。
【００４８】
図９は本発明に係る下着の実施の形態の他の例を示す、図１（ｂ）と同様の断面図である。
図１（ａ）および（ｂ）に示す例の下着１では、下着本体２に対向する液吸収体３の面の全面が下着本体２に接触するようにして支持されるが、図９に示すように、この例の下着１では、液吸収体３の他側接合部１１,１２が接合用布５の起毛５ａによる一側接合部に接合されて液吸収体３が下着本体２に取り付けられたとき、液吸収体３の他側接合部１１,１２間の部分は下着本体２の接合用布５に接触しなく、接合用布５から離間し隙間Ｂが形成されるようになっている。すなわち、液吸収体３は、その両上端部が面ファスナーでそれぞれ下着本体２の接合用布５に接合されるだけで中間部（つまり、前述の領域Ａを含む部分）が吊り下げられた状態で下着本体２に取り付けられる。
【００４９】
このように液吸収体３の中間部が吊り下げられた状態にされることで、液が最も溜められる液吸収体３の中間部が装着者の股間により一層密着（フィット）するので、液の吸収効果を高めることができる。また、前述のように液吸収体３に磁石や遠赤外線等の装着者の体に良好に作用する素材を用いれば、これらの素材が装着者の体に密着することで、装着者の体の機能回復や冷え防止等をより一層効果的に図ることができる。
この例における下着１の他の構成および他の作用効果は、前述の例の下着１のそれらと同じである。
【００５０】
図１０は本発明に係る下着に用いられる液吸収体の更に他の例を示し、（ａ）は図３（ａ）と同様の平面図、（ｂ）は（ａ）におけるXB−XB線に沿う断面図、（ｃ）は（ａ）におけるXC−XC線に沿う断面図である。
図３（ａ）および（ｂ）に示す例の液吸収体３では、撥水性テープ１３が第１ないし第４シート状体６,７,８,９の全周にわたって当てがわれているが、図１０に示すように、この例の液吸収体３では、液が吸収拡散されず漏出するおそれのない第１ないし第４シート状体６,７,８,９の両端縁（図１０（ａ）において左右両端縁）には、撥水性テープ１３が当てがわれておらず、液が吸収拡散されて漏出するおそれのある、第１ないし第４シート状体６,７,８,９の周端縁の他の部分のみ（図１０（ａ）において上下両周縁）に、当てがわれている。このように撥水性テープ１３を設けることで、撥水性テープ１３を節約しつつ、液の漏出を効率よく防止することができる。
この例における液吸収体３の他の構成および他の作用効果は、前述の例の液吸収体３のそれらと同じである。
【産業上の利用可能性】
【００５１】
本発明の下着は、下着本体と、この下着本体の所定の位置に着脱自在に取り付けられるとともに、柔軟性を有しかつ尿等の液を吸収可能に形成されるシート状の液吸収体とを備える下着に好適に利用することができる。
【図面の簡単な説明】
【００５２】
【図１】本発明に係る下着の実施の形態の一例を模式的にかつ部分的に示し、（ａ）は全体斜視図、（ｂ）は（ａ）におけるIB−IB線に沿う断面図である。
【図２】図１に示す下着本体の展開図である。
【図３】図１に示す下着に用いられる液吸収体を示し、（ａ）は平面図、（ｂ）は（ａ）におけるIIIB−IIIB線に沿う断面図、（ｃ）は（ｂ）におけるIIIC部の拡大図、（ｄ）は液吸収体の変形例を示す、（ｂ）と同様の断面図である。
【図４】図１に示す下着本体に対する液吸収体の取付位置の設定および種々のサイズや外周形状の液吸収体の下着本体への取付けを説明する図である。
【図５】（ａ）は本発明に係る液吸収体の一変形例示す、図２と同様の下着本体の展開図、（ｂ）は本発明に係る液吸収体の他の変形例示す、図２と同様の下着本体の展開図である。
【図６】（ａ）は本発明に係る液吸収体の更に他の変形例示す、図２と同様の下着本体の展開図、（ｂ）は本発明に係る液吸収体の更に他の変形例示す、図２と同様の下着本体の展開図である。
【図７】本発明に係る下着の変形例示す、図１（ａ）と同様の全体斜視図である。
【図８】本発明に係る下着に用いられる液吸収体の他の例を示し、（ａ）は図３（ａ）と同様の平面図、（ｂ）は（ａ）におけるVIIIB−VIIIB線に沿う断面図、（ｃ）は使用状態を説明する図である。
【図９】本発明に係る下着の実施の形態の他の例を示す、図１（ｂ）と同様の断面図である。
【図１０】本発明に係る下着に用いられる液吸収体の更に他の例を示し、（ａ）は図３（ａ）と同様の平面図、（ｂ）は（ａ）におけるXB−XB線に沿う断面図、（ｃ）は（ａ）におけるXC−XC線に沿う断面図である。
【符号の説明】
【００５３】
１…下着、２…下着本体、２ａ,２ｂ…脚貫通用孔、２ａ1,２ｂ1…周線、２ｃ…分岐部、２ｄ,２ｅ…上縁、３…液吸収体、４…本体布、５…接合用布、５ａ…起毛（一側接合部）、６…第１シート状体、７…第２シート状体、８…第３シート状体、９…第４シート状体、１１,１２…他側接合部、１１ａ,１２ａ…起毛、１３…撥水性テープ、１４,１５…一側接合部
【図１】
2008093321.tif 000003
【図２】
2008093321.tif 000004
【図３】
2008093321.tif 000005
【図４】
2008093321.tif 000006
【図５】
2008093321.tif 000007
【図６】
2008093321.tif 000008
【図７】
2008093321.tif 000009
【図８】
2008093321.tif 000010
【図９】
2008093321.tif 000011
【図１０】
2008093321.tif 000012